(57)【要約】【課題】椅子に座った状態で椅子とテーブルとの間隔を極めてスムーズに調整する。【解決手段】椅子付きテーブルは、天板１０とテーブル支柱１１とテーブル支持台１２とを備えるテーブル１と、座台２０と椅子支柱２１と椅子支持台２２とを備える椅子２とを伸縮アーム３で連結している。テーブル支持台１２は、水平姿勢を調整する高さ調整具４を下面に備え、椅子支持台２２は、移動方向を伸縮アーム３の長手方向とする車輪５を両側に備える。伸縮アーム３はテーブル支持台１２に連結されるガイドロッド３１と椅子支持台２２に連結される伸縮ロッド３２とを伸縮自在に連結している。テーブル支持台１２が高さ調整具４で水平姿勢に調整されてガイドロッド３１が水平姿勢に保持され、椅子支持台２２が車輪５で水平姿勢に保持されて伸縮ロッド３２が水平姿勢に保持され、水平姿勢に保持されて伸縮アーム３が伸縮されて、椅子２とテーブル１との間隔が調整される。【選択図】図２
2016073536.tif 000002
【特許請求の範囲】
【請求項１】
テーブル(1)と、
このテーブル(1)に一端を連結してなる水平面内で直線状に伸縮できる伸縮アーム(3)と、
この伸縮アーム(3)の他端に連結してなる椅子(2)と備える椅子付きテーブルであって、
前記テーブル(1)は、天板(10;60;70;80)と、この天板(10;60;70;80)の下面に固定してなるテーブル支柱(11;61;81)と、このテーブル支柱(11;61;81)の下端に連結してなるテーブル支持台(12;62;72;82)とを備え、
前記椅子(2)は、座台(20;90)と、この座台(20;90)の下面に固定してなる椅子支柱(21;91)と、この椅子支柱(21;91)の下端に連結してなる椅子支持台(22;92)とを備え、
前記テーブル支持台(12;62;72;82)は、隅部の高さを調整して水平姿勢を調整する高さ調整具(4)を下面に備えており、
前記椅子支持台(22;92)は、水平姿勢で前記テーブル支持台(12;62;72;82)に向かって移動自在なように、椅子支持台(22;92)の移動方向を前記伸縮アーム(3)の長手方向とする車輪(5)を両側に設けており、
前記伸縮アーム(3)は前記テーブル支持台(12;62;72;82)に垂直面内で非回動状態に連結されるガイドロッド(31)と、このガイドロッド(31)に長手方向に伸縮自在に連結されて、前記椅子支持台(22;92)に垂直面内で非回動状態に連結してなる伸縮ロッド(32)とを備え、
前記高さ調整具(4)で前記テーブル支持台(12;62;72;82)の水平姿勢が調整されて前記テーブル支持台(12;62;72;82)に連結してなる前記ガイドロッド(31)が水平姿勢に保持され、さらに、前記椅子支持台(22;92)が前記車輪(5)でもって水平姿勢に保持されて前記椅子支持台(22;92)に連結してなる前記伸縮ロッド(32)が水平姿勢に保持され、
前記ガイドロッド(31)と前記伸縮ロッド(32)の両方が水平姿勢に保持されて前記伸縮アーム(3)が伸縮されて、前記椅子(2)と前記テーブル(1)との間隔が調整されるようにしてなる椅子付きテーブル。
【請求項２】
請求項１に記載される椅子付きテーブルであって、
前記テーブル支持台(12;72;82)が四角形の枠フレーム(15;75;85)で、この枠フレーム(15;75;85)の四隅又は３隅に前記高さ調整具(4)を設けてなることを特徴とする椅子付きテーブル。
【請求項３】
請求項１又は２に記載される椅子付きテーブルであって、
前記椅子支持台(22;92)が四角形の枠フレーム(25;95)で、四角形の四隅に前記車輪(5)を連結してなることを特徴とする椅子付きテーブル。
【請求項４】
請求項１ないし３のいずれかに記載される椅子付きテーブルであって、
前記車輪(5)が回転軸(51)を介して前記椅子支持台(22;92)に回転自在に連結され、前記回転軸(51)は、前記椅子支持台(22;92)の側面に水平姿勢で配置されて前記椅子支持台(22;92)に固定され、前記車輪(5)の回転軸(51)を前記椅子支持台(22;92)の上下の中間に配置してなることを特徴とする椅子付きテーブル。
【請求項５】
請求項１ないし４のいずれかに記載される椅子付きテーブルであって、
前記伸縮アーム(3)の一端が前記テーブル支持台(12;62;72;82)に固定されて垂直面内で非回動状態に前記テーブル支持台(12;62;72;82)に連結され、前記伸縮アーム(3)の他端が前記椅子支持台(22;92)に固定されて、垂直面内で非回動状態に連結されてなることを特徴とする椅子付きテーブル。
【請求項６】
請求項１ないし５のいずれかに記載される椅子付きテーブルであって、
前記伸縮アーム(3)が水平面内で回動自在に前記テーブル支持台(12)に連結してなることを特徴とする椅子付きテーブル。
【請求項７】
請求項１ないし６のいずれかに記載される椅子付きテーブルであって、
前記テーブル(1)の片側、両側、又は周囲に複数の椅子(2)を備えており、各々の椅子(2)が前記伸縮アーム(3)を介して前記テーブル(1)に連結されてなることを特徴とする椅子付きテーブル。
【発明の詳細な説明】
【技術分野】
【０００１】
本発明は、椅子をテーブルに連結してなる椅子付きテーブルであって、椅子とテーブルとの間隔を調整できる椅子付きテーブルに関する。
【背景技術】
【０００２】
椅子をテーブルに連結すると共に、椅子をテーブルに接近し、あるいは離して椅子とテーブルとの間隔を調整できる椅子付きテーブルは開発されている。（特許文献１及び２参照）
【０００３】
特許文献１の椅子付きテーブルは、図１８に示すように、途中をヒンジ１３１で折曲自在に連結している折曲アーム１０３を介して椅子１０２の支柱１２１をテーブル１０１の支柱１１１に連結して、椅子１０２の支柱１２１の下端にはダブル車輪１０５を固定している。この椅子付きテーブルは、椅子１０２とテーブル１０１との間に設けている折曲アーム１０３が、椅子１０２に座るユーザーの邪魔になって便利に使用できない欠点がある。とくに、椅子１０２に座るユーザーが椅子１０２から立ち上がる時に折曲アーム１０３が邪魔になって、椅子１０２の片側にしか出ることができない欠点がある。
【０００４】
特許文献２の椅子付きテーブルは、図１９に示すように、床面の近傍において、椅子支持台２２２とテーブル支持台２１２とを伸縮アーム２０３で連結しているので、伸縮アーム２０３が椅子２０２から立ち上がるユーザーの邪魔になることはない。しかしながら、この構造の椅子付きテーブルは、椅子２０２に座る状態で、椅子２０２とテーブル２０１との間隔をスムーズに調整できない欠点がある。それは、椅子２０２に車輪がないことに加えて、伸縮アーム２０３をスムーズに伸縮できないからである。
【先行技術文献】
【特許文献】
【０００５】
【特許文献１】欧州特許出願公開第１７０７０７６号公報
【特許文献２】米国特許第５６９７６６８号公報
【発明の概要】
【発明が解決しようとする課題】
【０００６】
本発明は、従来の椅子付きテーブルが有する以上の欠点を解決することを目的に開発されたものである。本発明の重要な目的は、椅子に座ったままの状態で椅子とテーブルとの間隔を極めてスムーズに調整できる椅子付きテーブルを提供することにある。
【課題を解決するための手段及び発明の効果】
【０００７】
本発明の椅子付きテーブルは、テーブル１と、このテーブル１に一端を連結している水平面内で直線状に伸縮できる伸縮アーム３と、この伸縮アーム３の他端に連結してなる椅子２と備える。テーブル１は、天板１０、６０、７０、８０と、この天板１０、６０、７０、８０の下面に固定してなるテーブル支柱１１、６１、８１と、このテーブル支柱１１、６１、８１の下端に連結してなるテーブル支持台１２、６２、７２、８２とを備える。椅子２は、座台２０、９０と、この座台２０、９０の下面に固定してなる椅子支柱２１、９１と、この椅子支柱２１、９１の下端に連結してなる椅子支持台２２、９２とを備える。テーブル支持台１２、６２、７２、８２は、隅部の高さを調整して水平姿勢を調整する高さ調整具４を下面に備えている。椅子支持台２２、９２は、水平姿勢でテーブル支持台１２、６２、７２、８２に向かって移動自在なように、椅子支持台１２、６２、７２、８２の移動方向を伸縮アーム３の長手方向とする車輪５を両側に設けている。伸縮アーム３はテーブル支持台１２、６２、７２、８２に垂直面内で非回動状態に連結されるガイドロッド３１と、このガイドロッド３１に長手方向に伸縮自在に連結されて、椅子支持台２２、９２に垂直面内で非回動状態に連結してなる伸縮ロッド３２とを備える。椅子付きテーブルは、高さ調整具４でテーブル支持台１２、６２、７２、８２の水平姿勢が調整されて、テーブル支持台１２、６２、７２、８２に連結してなるガイドロッド３１が水平姿勢に保持され、さらに、椅子支持台２２、９２が車輪５でもって水平姿勢に保持されて椅子支持台２２、９２に連結してなる伸縮ロッド３２が水平姿勢に保持され、ガイドロッド３１と伸縮ロッド３２の両方が水平姿勢に保持されて伸縮アーム３が伸縮されて、椅子２とテーブル１との間隔が調整される。
【０００８】
以上の椅子付きテーブルは、テーブル支持台と椅子支持台の両方で、テーブルと椅子とを水平姿勢に保持して倒れないよう保持しながら、椅子に座ったままの姿勢で椅子とテーブルとの間隔を極めてスムーズに調整できる特徴がある。それは、テーブルを固定しているテーブル支持台を高さ調整具で水平姿勢に保持し、さらに椅子を固定している椅子支持台を車輪で水平姿勢に保持して、テーブル支持台と椅子支持台の両方を水平姿勢に保持し、これ等に連結している伸縮アームを水平姿勢として伸縮させるからである。伸縮アームは、垂直面内で非回動状態でテーブル支持台と椅子支持台とに連結している。この構造は、椅子支持台がテーブルの転倒を阻止し、さらに、テーブル支持台が椅子の阻止するので、椅子支持台とテーブル支持台とを小さくしながら、とくに、伸縮アームの長手方向の幅を狭くしながら、テーブルと椅子を安定に自立できる。以上の椅子付きテーブルは、伸縮アームをこの構造で連結しながら、伸縮アームをスムーズに伸縮して、椅子とテーブルとの間隔を楽に調整できる。椅子付きテーブルは、伸縮アームに垂直方向の曲げ応力が作用するとスムーズに伸縮できなくなる。それは、垂直方向に作用する曲げ応力が、伸縮アームの摩擦抵抗を増大させるからである。以上の椅子付きテーブルは、伸縮アームを連結しているテーブル支持台を高さ調整具で水平姿勢に保持し、さらに、椅子支持台を車輪で水平姿勢に保持して伸縮アームを水平姿勢に保持するので、伸縮アームには曲げ応力が作用せず、伸縮アームをスムーズに伸縮して椅子とテーブルとの間隔をスムーズに調整できる。
【０００９】
本発明の椅子付きテーブルは、テーブル支持台１２、７２、８２を四角形の枠フレーム１５、７５、８５として、この枠フレーム１５、７５、８５の四隅又は３隅に高さ調整具４を設けることができる。
この椅子付きテーブルは、高さ調整具でもってテーブル支持台を安定して水平姿勢に保持できる特徴がある。
【００１０】
本発明の椅子付きテーブルは、椅子支持台２２、９２を四角形の枠フレーム２５、９５として、四角形の四隅に車輪５を連結することができる。
この椅子付きテーブルは、四隅の車輪で椅子支持台をスムーズに伸縮アームの長手方向に移動して、椅子とテーブルとの間隔を自由に楽に調整できる。
【００１１】
本発明の椅子付きテーブルは、回転軸５１を介して車輪５を椅子支持台２２、９２に回転自在に連結し、回転軸５１を椅子支持台２２、９２の側面に水平姿勢で配置して椅子支持台２２、９２に固定し、車輪５の回転軸５１を椅子支持台２２、９２の上下の中間に配置することができる。
この椅子付きテーブルは、車輪の取付構造を簡素化して車輪とその取付コストを低減でき、さらに車輪を連結している椅子支持台を低くでき、さらにまた、車輪でもって椅子支持台を伸縮アームの長手方向にスムーズに移動できる特徴がある。
【００１２】
本発明の椅子付きテーブルは、伸縮アーム３の一端をテーブル支持台１２、６２、７２、８２に固定して垂直面内で非回動状態にテーブル支持台１２、６２、７２、８２に連結し、伸縮アーム３の他端を椅子支持台２２、９２に固定して、垂直面内で非回動状態に連結することができる。
以上の椅子付きテーブルは、テーブル支持台と椅子支持台の両方に伸縮アームを強固に連結して、テーブルと椅子の両方を安定に自立できる特徴がある。
【００１３】
本発明の椅子付きテーブルは、伸縮アーム３を水平面内で回動自在にテーブル支持台１２に連結することができる。
この椅子付きテーブルは、伸縮アームを水平面内で回動することで、椅子をテーブルに対して斜め方向に移動することもできる。
【００１４】
本発明の椅子付きテーブルは、テーブル１の片側、両側、又は周囲に複数の椅子２を備えて、各々の椅子２を伸縮アーム３を介してテーブル１に連結することができる。
この椅子付きテーブルは、テーブルの両側又は周囲に複数の椅子を連結するので、椅子支持台を小さくしながら、両側又は周囲の椅子でもってテーブルをより安定に自立できる特徴がある。
【図面の簡単な説明】
【００１５】
【図１】本発明の一実施例にかかる椅子付きテーブルの概略斜視図である。
【図２】図１に示す椅子付きテーブルの椅子を後方に移動させた状態を示す分解斜視図である。
【図３】本発明の一実施例にかかる椅子付きテーブルの側面図である。
【図４】本発明の一実施例にかかる椅子付きテーブルの底面図である。
【図５】テーブル支柱の上端部を示す拡大斜視図である。
【図６】高さ調整具の一例を示す分解斜視図である。
【図７】座台と椅子支柱の連結構造を示す分解斜視図である。
【図８】椅子支持台の斜視図である。
【図９】図８に示す椅子支持台のＩＸ−ＩＸ線断面図である。
【図１０】伸縮アームの拡大横断面図である。
【図１１】テーブル支持台と椅子支持台の上面を外装する一例を示す斜視図である。
【図１２】本発明の他の実施例にかかる椅子付きテーブルの概略斜視図である。
【図１３】本発明の他の実施例にかかる椅子付きテーブルの概略斜視図である。
【図１４】本発明の他の実施例にかかる椅子付きテーブルの平面図である。
【図１５】本発明の他の実施例にかかる椅子付きテーブルの概略斜視図である。
【図１６】図１５に示す椅子付きテーブルの伸縮アームとテーブル支持台との連結構造の一例を示す斜視図である。
【図１７】図１５に示す椅子付きテーブルの伸縮アームとテーブル支持台との連結構造の他の一例を示す斜視図である。
【図１８】従来の椅子付きテーブルの側面図である。
【図１９】従来の他の椅子付きテーブルの側面図である。
【発明を実施するための形態】
【００１６】
以下、本発明の実施例を図面に基づいて説明する。ただし、以下に示す実施例は、本発明の技術思想を具体化するための椅子付きテーブルを例示するものであって、本発明は椅子付きテーブルを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図１ないし図４に示す椅子付きテーブル１００は、テーブル１と、このテーブル１に一端を連結して、水平面内で直線状に伸縮できる伸縮アーム３と、この伸縮アーム３の他端に連結してなる椅子２とを備えている。この椅子付きテーブル１００は、伸縮アーム３を伸縮させて、椅子２とテーブル１との間隔を調整できるようにしている。
【００１８】
図１と図２に示す椅子付きテーブル１００は、テーブル１と椅子２を構成する部材のうち、金属製のフレームや金属製の支柱で形成される部分を太線で示している。この金属フレームや金属支柱には、例えば、金属パイプや金属ロッド、金属鋼等が使用できる。本明細書において、以下に示す実施例では、これらの金属フレームや金属支柱として、金属パイプを使用する例を示している。このように、金属製のフレームや支柱を金属パイプとする構造は、強度を高くしながら全体を軽量にできる。ただ、本発明は、テーブルや椅子を構成する金属製のフレームや支柱を金属パイプに特定するものではなく、種々の金属フレームや金属支柱が使用できる。すなわち、本発明は、テーブルや椅子を構成する金属製のフレームや支柱として、金属パイプ（角筒状パイプ、丸筒状パイプ）、金属ロッド（角ロッド、丸ロッド）、Ｌ型鋼、Ｈ型鋼、Ｃ型鋼、あるいはこれ等を組み合わせたものが使用できる。
【００１９】
［テーブル１］
テーブル１は、天板１０と、この天板１０の下面に固定してなるテーブル支柱１１と、このテーブル支柱１１の下端に連結してなるテーブル支持台１２とを備えている。
【００２０】
天板１０は、上面を平面状とする平板で、下面にテーブル支柱１１が固定されている。天板１０は、下面に固定されるテーブル支柱１１を介して水平姿勢に支持されている。天板１０には、例えば、木製の板材が使用される。ただ、天板には、プラスチック板等も使用できる。
【００２１】
テーブル支柱１１は、垂直姿勢に配設された金属パイプで、下端がテーブル支持台１２に固定され、上端には天板１０が固定されている。図５のテーブル支柱１１は、角筒状の金属パイプとしている。ただ、テーブル支柱は、円筒状の金属パイプとすることもできる。さらに、図５に示すテーブル支柱１１は、天板１０を固定するための支持枠１３を上端に固定して設けている。図の支持枠１３は、金属パイプを方形状に連結したもので、その中央部にテーブル支柱１１を配置すると共に、方形状の４辺の中間を連結ロッド１４を介してテーブル支柱１１の上端に固定している。このテーブル支柱１１は、支持枠１３を貫通する止ネジ(図示せず)を天板１０にねじ込んで、天板１０が固定される。以上のように、枠形状に形成された支持枠１３の中心部にテーブル支柱１１を配置して天板１０を固定する構造は、天板１０の中央部分を下方からテーブル支柱１１で支持するので、テーブル支柱１１に対して傾動方向に外力がはたらくのを防止しながら、天板１０を安定して水平姿勢に保持できる。
【００２２】
テーブル支持台１２は、テーブル支柱１１の下端が固定されており、テーブル支柱１１を垂直姿勢に支持している。テーブル支持台１２は、天板１０が固定されたテーブル支柱１１を安定して垂直姿勢に支持できる構造としている。図１ないし図４のテーブル支持台１２は、平面視を四角形とする枠フレーム１５としている。図に示す枠フレーム１５は、縦枠１５Ａの両端に、縦枠１５Ａと直交する横枠１５Ｂを連結して全体をコ字状とすると共に、縦枠１５Ａの中間には、横枠１５Ｂと平行に支持フレーム１６を連結し、さらに、横枠１５Ｂの中間と支持フレーム１６の中間とを中間フレーム１７で連結して補強している。図４に示す枠フレーム１５は、縦枠１５Ａと横枠１５Ｂをコ字状に連結して平面視を略四角形状としているが、枠フレームは、縦枠と横枠とを方形状に連結して四角形状とすることもできる。すなわち、本明細書において、テーブル支持台を平面視を四角形とする枠フレームとするとは、枠フレームの平面視における外形が略四角形であって、方形状やコ字状、Ｈ字状等のように実質的な外形が四角形となる形状と含む広い意味で使用する。
【００２３】
テーブル支持台１２は、支持フレーム１６の上面であって、縦枠１５Ａから枠フレーム１５の中心側に偏在した位置にテーブル支柱１１の下端を固定している。このように、枠フレーム１５の中心側に位置してテーブル支柱１１を固定する構造は、テーブル支柱１１にかかる荷重を枠フレーム１５全体で支持できるので、テーブル支柱１１に作用する外力によってテーブル支持台１２が傾くのを有効に防止して、テーブル支持台１２を安定して水平姿勢に保持できる特徴がある。ただ、テーブル支持台１２に固定されるテーブル支柱１１の位置は、椅子２側に近過ぎると椅子２に座ったユーザーの邪魔になることがあるので、好ましくは、枠フレーム１５の中心部、または中心部よりも椅子２から遠ざかる方向に偏在した位置とする。
【００２４】
図１、図２及び図４に示すテーブル支持台１２は、枠フレーム１５に固定される支持フレーム１６として、詳細には後述するが、テーブル支持台１２に連結される伸縮アーム３のガイドロッド３１を使用している。すなわち、テーブル支持台１２に連結される伸縮アーム３の外装部を構成するフレーム材であるガイドロッド３１を支持フレーム１６に兼用して枠フレーム１５に固定している。この構造の椅子付きテーブル１００は、伸縮アーム３をテーブル支持台１２に一体的に連結して、伸縮アーム３をテーブル支持台１２に強固に固定できる。この椅子付きテーブル１００は、テーブル支持台１２を水平姿勢に調整することで伸縮アーム３を水平姿勢に配置できる。ただ、椅子付きテーブルは、必ずしも伸縮アームのガイドロッドを支持フレームに兼用する必要はなく、伸縮アームとは別部材である支持フレームを枠フレームに固定してテーブル支持台を構成することもできる。
【００２５】
さらに、図３と図４に示すテーブル支持台１２は、隅部の高さを調整してテーブル支持台１２の水平姿勢を調整する高さ調整具４を下面に備えている。図４に示すテーブル支持台１２は、平面視が四角形の枠フレーム１５の四隅に高さ調整具４を設けている。高さ調整具４は、図６に示すように、ネジ棒４ａの下端に支持板４ｂを連結してなる高さ調節ネジ４Ａで、この高さ調節ネジ４Ａをテーブル支持台１２の下面に設けた雌ネジ孔１８にねじ込んで固定している。高さ調節ネジ４Ａである高さ調整具４は、ネジ棒４ａの締め込み量を調節してテーブル支持台１２の下面と支持板４ｂとの間隔を調整し、テーブル支持台１２の高さを調整する。テーブル支持台１２は、高さ調整具４で下面の高さが調整されて水平姿勢に調整されて、テーブル支持台１２に連結してなるガイドロッド３１が水平姿勢に保持される。
【００２６】
このように四隅に高さ調整具４を設けてなるテーブル支持台１２は、各高さ調整具４の高さを調整してテーブル支持台１２を水平姿勢に調整しながら、テーブル支持台１２の高さを調整してガイドロッド３１を水平姿勢に保持できる。ただ、テーブル支持台は、四隅のうち、一の隅部には高さ調整のできない脚部を設けると共に、残りの３隅に高さ調整具を設けることもできる。この構造は、３隅に設けた高さ調整具の高さを調整してテーブル支持台を水平姿勢に調整する。この場合、一の隅部に固定される脚部は、ガイドロッドを水平姿勢に保持できる高さに設定される。
【００２７】
さらに、図４の底面図に示すテーブル支持台１２は、枠フレーム１５の四隅に加えて、中間フレーム１７の下面にも高さ調整具４を設けている。図に示すテーブル支持台１２は、テーブル支柱１１を支持する支持フレーム１６と中間フレーム１７との連結位置に接近して各中間フレーム１７の下面に高さ調整具４を固定している。このように、中間フレーム１７の下面にも高さ調整具４を備えるテーブル支持台１２は、より安定してテーブル支持台１２を水平姿勢に保持できる。
【００２８】
さらに、図４に示す椅子付きテーブル１００は、伸縮アーム３の下面側にもこれを支持する支持部１９を設けている。支持部１９は、伸縮アーム３の下面に固定されて、伸縮アーム３の高さを所定の高さに支持する。図の椅子付きテーブル１００は、伸縮アーム３のガイドロッド３１の先端の下面に、伸縮アーム３と交差する方向であって水平に延びるロッド状の支持部１９を固定している。ただ、伸縮アームは複数箇所に支持部を設けることもできる。以上の支持部１９は、テーブル支持台１２の水平姿勢を高さ調整具４で調整する状態で、ガイドロッド３１を水平姿勢に保持できる高さに設定される。このように、伸縮アーム３を支持部１９で支持する構造は、伸縮ロッド３２を安定して水平姿勢に支持できる。例えば、伸縮アーム３が伸長された状態においても、伸縮アーム３の中間部を下面から支持して安定して水平姿勢に保持できる。
【００２９】
［椅子２］
椅子２は、座台２０と、この座台２０の下面に固定してなる椅子支柱２１と、この椅子支柱２１の下端に連結してなる椅子支持台２２とを備えている。
【００３０】
座台２０は、図７に示すように、ユーザーが座る部分となる座部４０と、この座部４０を椅子支柱２１に連結するための連結パイプ４１と、座部４０に座るユーザーの背面側に設けられた背もたれ４２とを備えている。座部４０は、ユーザーが快適に座ることができるように、ベースプレート４３の上面側に緩衝材（図示せず）を配設して、さらに表面を外装カバーで被覆している。図７に示す座台２０は、座部４０のベースプレート４３の下面に円形の固定フレーム４４を固定しており、この固定フレーム４４には、直径方向に延びる固定プレート４５を固定している。座台２０は、固定プレート４５の中央部において、下方に突出する連結パイプ４１を固定している。図に示す連結パイプ４１は円筒状の金属パイプで、この連結パイプ４１を椅子支柱２１に挿入して連結している。連結パイプ４１の上端の周囲には、椅子支柱２１の上端と接触する支持リング４６を設けている。さらに、座台２０は、固定プレート４５の一端部にＬ字状の連結アーム４７を固定しており、この連結アーム４７の上端部に背もたれ４２を固定している。
【００３１】
椅子支柱２１は、図７に示すように、垂直姿勢に配設された金属パイプで、下端が椅子支持台２２に固定されて、上端には座台２０が固定されている。椅子支柱２１は、円筒状の連結パイプ４１を挿入して連結できるように、連結パイプ４１の外径とほぼ等しい内径を有する円筒状の金属パイプとしている。さらに、椅子支柱２１は、連結パイプ４１を抜けないように連結するために、上端部に設けた雌ネジ孔２８に半径方向にねじ込むストッパネジ２３を備えている。座台２０は、連結パイプ４１の下端部の外周面に沿ってリング状の溝部４８を設けており、この溝部４８にストッパネジ２３の先端が挿入される状態で、連結パイプ４１を椅子支柱２１から抜けないようにしている。また、連結パイプ４１の外周に沿ってリング状の溝部４８を設けることにより、ストッパネジ２３の先端部を溝部４８の内側で移動させて、座台２０を椅子支柱２１に対して回転できるようにしている。椅子支柱２１は、上端縁にフランジ部２４を設けており、連結パイプ４１の上端の周囲に設けた支持リング４６と対向して広い面積で支持できるようにしている。
【００３２】
椅子支持台２２は、椅子支柱２１の下端が固定されており、椅子支柱２１を垂直姿勢に支持している。椅子支持台２２は、座台２０が固定された椅子支柱２１を安定して垂直姿勢に支持できる構造としている。図８の椅子支持台２２は、平面視を四角形とする枠フレーム２５としている。図に示す枠フレーム２５は、互いに対向する縦枠２５Ａの両端部を、横枠２５Ｂで連結して全体の形状を方形状とすると共に、対向する縦枠２５Ａの中間部を中間フレーム２６で連結している。さらに、図に示す椅子支持台２２は、中間フレーム２６の上面側に椅子支柱２１の下端を固定している。図に示す椅子支持台２２は、中間フレーム２６の上面に支持プレート２７を固定しており、この支持プレート２７の中央部の上面に椅子支柱２１を固定している。支持プレート２７の両端部は、対向する縦枠２５Ａの上面に固定しており、一対の縦枠２５Ａと中間フレーム２６とで支持プレート２７を支持することで、ユーザーの体重がかかる椅子支柱２１を安定して支持できるようにしている。
【００３３】
さらに、椅子支持台２２は、図８に示すように、水平姿勢でテーブル支持台１２に向かって移動自在なように、椅子支持台２２の移動方向を伸縮アーム３の長手方向とする車輪５を両側に備えている。図８の椅子支持台２２は、四角形の枠フレーム２５の四隅に車輪５を連結して配置している。すなわち、この椅子支持台２２は、両側に設けた車輪５の走行方向が伸縮アーム３の伸縮方向となるように４つの車輪５を椅子支持台２２の四隅に固定している。車輪５は、回転軸５１を介して椅子支持台２２に回転自在に連結されている。車輪５の回転軸５１は、図９に示すように、椅子支持台２２の側面に水平姿勢で配置されて椅子支持台２２に固定されている。図９に示す回転軸５１は、椅子支持台２２の上下の中間に配置されている。
【００３４】
図８に示す椅子支持台２２は、四隅に配置される車輪５の回転軸５１を互いに平行な水平姿勢に保持するために、片側に配置される２個の車輪５を車輪ユニット５０として一体的に連結している。車輪ユニット５０は、図８と図９に示すように、前後に離して配置された２個の車輪５の両側に一対の垂直プレート５２を互いに平行な姿勢で配置しており、これ等の垂直プレート５２の中間を連結部５３で連結している。さらに、対向する垂直プレート５２の間に車輪５を配置すると共に、この車輪５の車軸となる回転軸５１を、一対の垂直プレート５２と車輪５とを貫通する状態で挿通して固定している。一対の垂直プレート５２の間に配置される２個の車輪５に挿通される回転軸５１は、互いに平行であって水平な姿勢に配置される。図に示す回転軸３１は先端部に雌ネジを設けたボルトで、一方の垂直プレート５２の外側から挿入されると共に、他方の垂直プレート５２の外側に設けたナット５４にねじ込まれて固定されている。垂直プレート５２と車輪５との間にはワッシャ５５を挿通しており、車輪５を滑らかに回転できるようにしている。以上の構造により、車輪５の車軸となる回転軸５１は、両端部が垂直プレート５２に支持されて、大きな荷重に対しても安定して水平姿勢に保持される。
【００３５】
椅子支持台２２は、図８に示すように、枠フレーム２５の両側に一対の車輪ユニット５０が固定されて、椅子支持台２２の四隅の定位置に４個の車輪５が配置される。椅子支持台２２の四隅に配置された４個の車輪５は、各々の回転軸５１が伸縮アーム３の長手方向に直交する水平姿勢に配置されて、伸縮アーム３の長手方向となる一方向に走行できるように配置される。さらに、椅子支持台２２は、枠フレーム２５の四隅に配置される車輪５により水平姿勢に保持される。とくに、車輪５の回転軸５１を椅子支持台２２の側面に配置することにより、椅子支持台２２を低い水平姿勢に保持できる。これにより、椅子支持台２２は、安定した水平姿勢に保持された状態で、床面に沿って平行移動する。
【００３６】
［伸縮アーム３］
伸縮アーム３は、テーブル支持台１２に連結されるガイドロッド３１と、このガイドロッド３１に長手方向に伸縮自在に連結されて、椅子支持台２２に連結される伸縮ロッド３２とを備えている。図１０の拡大横断面図に示す伸縮アーム３は、ガイドロッド３１と伸縮ロッド３２とを横断面形状をコ字状とする細長いフレーム材としており、それぞれ開口部を下向きとする姿勢で、ガイドロッド３１の内側に伸縮ロッド３２を重ねて配置している。この伸縮アーム３は、ガイドロッド３１に対して、内側の伸縮ロッド３２を長手方向に出し入れする状態でスライドさせて伸縮する構造としている。さらに、伸縮アーム３は、伸縮ロッド３２の内側に直動ベアリング３３を配置しており、この直動ベアリング３３を介して、ガイドロッド３１と伸縮ロッド３２とを低抵抗な状態でスムーズにスライドできる構造としている。
【００３７】
図１０の直動ベアリング３３は、長手方向にスライド可能な状態で連結された第１フレーム３４及び第２フレーム３５と、この第１フレーム３４と第２フレーム３５の間に配置される中間スライダー３６とを備えている。第１フレーム３４、第２フレーム３５、及び中間スライダー３６は、横断面形状を略コ字状としており、中間スライダー３６の外側に第１フレーム３４を配置すると共に、中間スライダー３６の内側に第２フレーム３５を収納している。第１フレーム３４と中間スライダー３６は、それぞれの開口部が下向きとなる姿勢で積層されると共に、第２フレーム３５と中間スライダー３６は、互いの開口部が対向する姿勢となるように、すなわち第２フレーム３５は、開口部が上向きとなる姿勢で配置されている。
【００３８】
さらに、直動ベアリング３３は、第１フレーム３４と第２フレーム３５とを低抵抗な状態でスムーズにスライドできるように、第１フレーム３４と中間スライダー３６との間、及び第２フレーム３５と中間スライダー３６との間に、それぞれ複数のボールベアリング３７を配置している。第１フレーム３４と中間スライダー３６との間に配置される複数のボールベアリング３７は、第１フレーム３４の側壁の内面と中間スライダー３６の側壁の外面との間に、長手方向に離して配列されている。第２フレーム３５と中間スライダー３６との間に配置される複数のボールベアリング３７は、第２フレーム３５の側壁の外面と中間スライダー３６の側壁の内面との間に、長手方向に離して配列されている。この直動ベアリング３３は、中間スライダー３６の外側と内側に配置されたボールベアリング３７を転動させる状態で、第１フレーム３４と第２フレーム３５とを低抵抗な状態で長手方向にスライドできるようにしている。
【００３９】
図１０に示す伸縮アーム３は、直動ベアリング３３の第１フレーム３４を伸縮ロッド３２に固定すると共に、直動ベアリング３３の第２フレーム３５の一端をガイドロッド３１に固定しており、互いにスライドする第１フレーム３４と第２フレーム３５を介して、ガイドロッド３１と伸縮ロッド３２とを低抵抗な状態でスライドさせて長手方向に伸縮できるようにしている。図１０に示す伸縮アーム３は、ガイドロッド３１に連結プレート３８を固定しており、この連結プレート３８に止ネジ３９を介して第２フレーム３５を固定している。以上のように、直動ベアリングを備える伸縮アームは、ガイドロッドと伸縮ロッドをスムーズにスライドさせて伸縮できる特徴がある。ただ、伸縮アームは、必ずしも以上の構造には特定せず、ガイドロッドと伸縮ロッドとを低抵抗な状態でスライドさせて長手方向に伸縮できる種々の構造が採用できる。
【００４０】
以上の伸縮アーム３は、図１〜図４に示すように、ガイドロッド３１がテーブル支持台１２に固定されると共に、伸縮ロッド３２が椅子支持台２２に固定される。伸縮アーム３のガイドロッド３１は、垂直面内で非回動状態となるようにテーブル支持台１２に固定されている。図１、図２、及び図４に示すガイドロッド３１は、前述のように、テーブル支持台１２の支持フレーム１６に兼用されており、テーブル支持台１２の枠フレーム１５と同一平面に配置されて、枠フレーム１５に一体的に固定されている。さらに、図８の伸縮アーム３の伸縮ロッド３２は、垂直面内で非回動状態となるように椅子支持台２２に固定されている。これにより、椅子支持台２２が車輪５で水平姿勢に保持される状態で、伸縮ロッド３２が水平姿勢に保持される。図の伸縮ロッド３２は、先端部が連結金具５８と固定ネジ５９を介して椅子支持台２２の前面に固定されている。この構造は、搬送時において、固定ネジ５９を外すことで椅子支持台２２を伸縮アーム３から外して便利に搬送できる。
【００４１】
さらに、伸縮アーム３は図３に示すように、伸縮時の抵抗が小さくなるように、椅子支持台２２の移動方向に沿って、すなわち床面９に対して平行な姿勢となるように配置される。伸縮アーム３は、一端がテーブル支持台１２に固定されて、他端が椅子支持台２２に固定された状態で、床面９に対して平行な水平姿勢となるように配置される。以上の椅子付きテーブル１００は、伸縮アーム３を水平姿勢に保持するために、高さ調整部具４を調整して、テーブル支持台１２の水平姿勢を調整する。図１〜図４に示す椅子付きテーブル１００は、伸縮アーム３のガイドロッド３１がテーブル支持台１２と一体的に連結されているので、高さ調整部具４でテーブル支持台１２の高さを調整することにより、ガイドロッド３１の姿勢と高さが調整される。すなわち、この椅子付きテーブル１００は、ガイドアーム３１が水平な姿勢となるように、テーブル支持台１２を水平姿勢に調整しながら、テーブル支持台１２の高さを調整する。
【００４２】
以上の椅子付きテーブル１００は、高さ調整具４でテーブル支持台１２の水平姿勢が調整されて、テーブル支持台１２に連結してなるガイドロッド３１が水平姿勢に保持され、さらに、椅子支持台２２が車輪５でもって水平姿勢に保持されて椅子支持台２２に連結してなる伸縮ロッド３２が水平姿勢に保持されて、伸縮アーム３が水平姿勢に保持される。椅子付きテーブル１００は、ガイドロッド３１と伸縮ロッド３２の両方が水平姿勢に保持された状態で伸縮アーム３が伸縮されることにより椅子２とテーブル１との間隔が調整される。以上のように、水平姿勢に配置される伸縮アーム３は、椅子支持台２２を水平方向に移動させる状態で、ガイドロッド３１に対して伸縮ロッド３２をスムーズにスライドさせて伸縮できる。したがって、この椅子付きテーブル１００は、伸縮アーム３を水平姿勢に保持した状態で椅子支持台２２を移動させることで、伸縮アーム３を伸縮させて、椅子２をテーブル１に向かう前後方向にスムーズに平行移動できる。
なお、本明細書において、前後方向とは、椅子がテーブルに対して接近し、あるいは離れる方向であって、テーブルと椅子を連結する伸縮アームの長手方向となる伸縮方向を意味するものとする。
【００４３】
さらに、以上の椅子付きテーブル１００は、図１１に示すように、テーブル支持台１２及び椅子支持台２２の上面を装飾カバー５６で被覆することができる。椅子付きテーブル１００は、例えば、テーブル支持台１２の枠フレーム１５の上面に平らな板材を固定すると共に、この板材の上面にシート材やマット材を敷設して装飾カバー５６とする。このようなマット材として絨毯やカーペットやが使用できる。また、椅子付きテーブル１００は、椅子支持台２２の枠フレーム２５の上面にも平らな板材を固定すると共に、この板材の上面に絨毯やカーペット等のシート材やマット材を敷設して装飾カバー５６とする。さらにまた、椅子支持台２２は、両側に配置された車輪５の上部をカバーする車輪カバー５７を設けることもできる。このように、車輪カバー５７を設ける構造は、ユーザーの足が車輪５に直接触れるのを防止して安全かつ清潔に使用できる。
【００４４】
［他の実施例］
以下、本発明の椅子付きテーブルの他の実施例を図１２ないし図１５に基づいて詳述する。なお、図１２ないし図１５に示す椅子付きテーブルについても、前述の図１と図２に示す椅子付きテーブルと同様に、テーブル１と椅子２を構成する部材のうち、金属製のフレームや金属製の支柱で形成される部分を太線で示している。さらに、以下に示す実施例は、主としてテーブルの構造や、テーブルと伸縮アームとの連結構造を特徴とするものである。したがって、椅子、車輪、高さ調整具等については、前述の構造を採用できるものとしてその説明は省略する。
【００４５】
図１２に示す椅子付きテーブル２００は、伸縮アーム３を水平面内で回動自在にテーブル支持台１２に連結している。図に示すテーブル支持台１１の枠フレーム１５は、縦枠１５Ａの両端に、縦枠１５Ａと直交する横枠１５Ｂを連結して全体をコ字状とすると共に、縦枠１５Ａの中間には、横枠１５Ｂと平行に支持フレーム１６を連結し、さらに、支持フレーム１６の先端と横枠１５Ｂの中間とを中間フレーム１７で連結している。このテーブル支持台１２は、支持フレーム１６の先端部分に位置して伸縮アーム３のガイドロッド３１の先端を連結している。ガイドロッド３１は、図に示すように、水平面内で回動できるように回動軸６９を介して連結されている。この椅子付きテーブル２００は、回動軸６９を中心として伸縮アーム３を水平面内で回動することで、椅子２をテーブル１に対して斜め方向に移動することができる。
【００４６】
図１３に示す椅子付きテーブル３００は、テーブル１のテーブル支持台６２と椅子２の椅子支持台９２とを２本の伸縮アーム３で連結している。すなわち、この椅子付きテーブル３００は、ひとつの椅子２に対して２本の伸縮アーム３を連結している。２本の伸縮アーム３は互いに平行に配置されており、各々のガイドロッド３１をテーブル支持台６２の枠フレーム６５を構成する横枠６５Ｂに兼用している。図に示す枠フレーム６５は、縦枠６５Ａの両端に、縦枠６５Ａと直交する姿勢で伸縮アーム３のガイドロッド３１を連結しており、このガイドロッド３１を横枠６５Ｂとして、全体の外形をコ字状としている。図１３のテーブル支持台６２は、縦枠６５Ａの両端の下面に高さ調整具４を設けると共に、コ字状に連結されたガイドロッド３１の先端部の下面側に、伸縮アーム３を支持する支持部１９を設けている。支持部１９は、伸縮アーム３の下面に沿って、伸縮アーム３と交差する方向に延びるロッド状で、ガイドロッド３１の下面に固定されて伸縮アーム３の高さを所定の高さに支持している。この支持部１９は、テーブル支持台６２の水平姿勢を高さ調整具４で調整する状態で、ガイドロッド３１を水平姿勢に保持できる高さに設定される。以上のテーブル支持台６２は、外形を略四角形とする枠フレーム６５の四隅のうち、椅子側の２つの隅部には支持部１９を設けて、この部分を所定の高さに保持すると共に、椅子２と反対側の２つの隅部には高さ調整具４を設けて、２つの隅部の高さを調整してテーブル支持部６２を水平姿勢に調整しながらガイドロッド３１を水平姿勢に保持している。
【００４７】
さらに、図１３に示す椅子付きテーブル３００は、テーブル支持台６２の縦枠６５Ａの両端の上面に垂直姿勢でテーブル支柱６１を固定すると共に、テーブル支柱６１の上端にはコ字状の支持枠６３を固定して、この支持枠６３の上面に天板６０を固定している。コ字状の支持枠６３は、椅子側に突出する突出部６３Ｘの下面を、サブ支柱６１Ｘを介してテーブル支持台６２の枠フレーム６５に連結している。サブ支柱６１Ｘは、その下端を、テーブル支柱６１の下端に接近させて固定しており、上端に向かって椅子側に傾斜する傾斜姿勢で配置している。
【００４８】
さらに、２本の伸縮アーム３は、各々の伸縮ロッド３２の先端を椅子支持台９２の枠フレーム９５の前面の両端部に垂直に固定している。図１３の椅子支持台９２は、平面視を四角形とする枠フレーム９５で、前述の椅子支持台２２と同様にして、四角形の枠フレーム９５の四隅に車輪５を連結している。図の枠フレーム９５は、互いに対向する縦枠９５Ａの両端部を、横枠９５Ｂで連結して全体の形状を長方形とすると共に、対向する縦枠２５Ａの中間部を２本の中間フレーム２６で連結している。さらに、図に示す椅子支持台９２は、中間フレーム９６の上面に椅子支柱９１を固定している。図に示す椅子支持台９２は、各々の中間フレーム９６に２本ずつ、全体で４本の椅子支柱９１を固定しており、その上端に方形状の支持枠９３を連結して、この支持枠９３に座台９０を固定している。この構造の椅子２は、座台９０を４本の椅子支柱９１で支持することで、ユーザーの体重をバランス良く安定して支持できる特徴がある。
【００４９】
以上の椅子付きテーブル３００は、２本の伸縮アーム３を長手方向に同時に伸縮させて、椅子支持台９２を前後方向に移動させる。この構造は、２本の伸縮アーム３を同時に伸縮させることで、各伸縮アーム３が左右方向にぶれるのを防止してスムーズに伸縮できる。とくに、この椅子付きテーブル３００は、椅子支持台９２の両端部に２本の伸縮アーム３を連結するので、椅子支持台９２を前後に移動させる際には、椅子支持台９２の中央部分に作用する前後方向の力を左右の伸縮アーム３に２分割させてスムーズに移動できる。さらに、この椅子付きテーブル３００は、２本の伸縮アーム３をテーブル支持台６２の横枠６５Ｂの位置に配置するので、椅子２に座ったユーザーは、２本の伸縮アーム３の間に足を置くことができる。このため、椅子２に座った状態で、伸縮アーム３がユーザーの足に触れたり邪魔になることがなく、快適に使用できる特徴も実現できる。
【００５０】
以上の椅子付きテーブルは、ひとつのテーブルに対してひとつの椅子を連結しているが、本発明の椅子付きテーブルは、ひとつのテーブルに対して複数の椅子を備えることもできる。この椅子付きテーブルは、例えば、テーブルの両側、片側、あるいは周囲に複数の椅子を配置し、これ等の椅子を、伸縮アームを介してテーブルに連結することができる。
【００５１】
図１４に示す椅子付きテーブル４００は、テーブル１を対面式のテーブルとして対向する辺にそれぞれ一対の椅子２を配置して、全体では４つの椅子２を配置している。なお、図１４においては、４つの椅子２の配置をわかりやすくするために、テーブル支持台７２と伸縮アーム３と椅子支持台２２を平面図として示している。図１４に示す椅子付きテーブル４００は、テーブル１の天板７０の外形を長方形状として、長辺側に一対の椅子２を配置している。テーブル支持台７２の枠フレーム７５は、縦枠７５Ａと横枠７５Ｂとを方形状に連結すると共に、対向する横枠７５Ｂの中間を中間フレーム７７で連結し、さらに、対向する縦枠７５Ａの中間も連結フレーム７８で連結して補強している。さらに、各々の椅子２を連結する伸縮アーム３は、ガイドロッド３１を枠フレーム７５に固定している。図に示す伸縮アーム３は、ガイドロッド３１の一端を中間フレーム７７に連結すると共に、ガイドロッド３１の他端部を縦枠７５Ｂの中間に連結している。各伸縮ロッド３は、縦枠７５Ａ及び中間フレーム７７に対して直交する姿勢で連結されており、この伸縮ロッド３を伸縮させて椅子支持台２２をテーブル１に接近し、あるいは離れる前後方向に移動できるようにしている。
【００５２】
さらに、図１５の斜視図に示す椅子付きテーブル５００は、テーブル１を一方向に延びるカウンタータイプのテーブルとして、片側に４個の椅子２を配置している。図１５に示す椅子付きテーブル５００は、テーブル１の天板８０の外形を細長い長方形状として、長辺に沿って４つの椅子２を配置している。テーブル支持台８２の枠フレーム８５は、天板８０の延在方向に延びる複数の縦枠８５Ａとこの縦枠８５Ａの両端に連結された横枠８５Ｂとで構成している。図に示す枠フレーム８５は３本の縦枠８５Ａを平行に配置すると共に、これ等の縦枠８５Ａの両端を横枠８５Ｂで連結して全体の外形を略四角形状としている。テーブル支持台８２は、細長い枠フレーム８５の両端に位置してテーブル支柱８１を固定しており、このテーブル支柱８１で天板８０を支持している。さらに、テーブル支持台８２は、椅子２が配置される側の縦枠８５Ａに、複数の伸縮アーム３を連結している。
【００５３】
図１５に示す椅子付きテーブル５００は、テーブル１の片側に配置される複数の椅子２について、隣り合う椅子２同士が互いに接近し、あるいは離れることができるように、すなわち前後方向と交差する方向である左右方向に対しても移動できる構造で連結している。この構造を実現するために、図１５に示す椅子付きテーブル５００は、各椅子２に連結された伸縮アーム３のテーブル側をテーブル支持台１２に対して左右方向に移動できる構造で連結している。図に示す椅子付きテーブル５００は、伸縮アーム３のテーブル側の先端部にスライドガイド８６を連結しており、このスライドガイド８６を縦枠８５Ａに沿って移動できる構造としている。スライドガイド８６が連結される縦枠８５Ａは、スライドガイド８６を長手方向にスライドできるスライドロッド８７としている。
【００５４】
スライドガイド８６とスライドロッド８７の一例を図１６に示す。この図に示すスライドロッド８７はレール形状に形成している。スライドガイド８６はレール状のスライドロッド８７をカバーする形状とすると共に、レールを走行するローラー８８を設けている。この椅子付きテーブル５００は、スライドガイド８６をスライドロッド８７に沿って走行させることにより、伸縮アーム３をテーブル１に対してスムーズに左右方向にスライドさせて、隣接する椅子２同士の間隔を調整する。ここで、椅子支持台２２に配置された車輪５は、伸縮アーム３の伸縮方向にのみ走行可能な構造となっているので、椅子２を左右方向に移動させる際には、椅子２を軽く持ち上げて車輪５を床面から浮かせることで移動できる。
【００５５】
さらに、スライドガイド８６とスライドロッド８７は、図１７に示す構造とすることもできる。この図に示すスライドロッド８７は角柱状のロッド又はパイプとしている。スライドガイド８６は、角筒状の筒体としており、その中心にスライドロッド８７を挿通している。このスライドガイド８６は、図１７の矢印で示すように、スライドロッド８７に沿ってスライドさせることにより、伸縮アーム３をテーブル１に対して左右方向にスライドさせて、隣接する椅子２同士の間隔を調整する。
【００５６】
さらに、スライドガイド８６は、図１７に示すように、２本の伸縮アーム３を介してひとつの椅子支持台２２に連結することもできる。この構造は、２本の伸縮アーム３とスライドガイド８６と椅子支持台２２とを方形状に連結するので、椅子２を床面から浮かせて左右方向に移動させる状態で、伸縮アーム３が左右方向にぶれてスライドガイド８６が水平面内で回動するのを抑制でき、スライドガイド８６をスライドロッド８７に沿ってスムーズに移動できる特徴がある。
【産業上の利用可能性】
【００５７】
本発明の椅子付きテーブルは、椅子が連結されたテーブルとして、椅子に座ったままの状態で椅子を前後に移動させてテーブルとの間隔を調整できる椅子付きテーブルとして便利に使用できる。
【符号の説明】
【００５８】
１００、２００、３００、４００、５００…椅子付きテーブル
１…テーブル
２…椅子
３…伸縮アーム
４…高さ調整具
４Ａ…高さ調節ネジ
４ａ…ネジ棒
４ｂ…支持板
５…車輪
９…床面
１０…天板
１１…テーブル支柱
１２…テーブル支持台
１３…支持枠
１４…連結ロッド
１５…枠フレーム
１５Ａ…縦枠
１５Ｂ…横枠
１６…支持フレーム
１７…中間フレーム
１８…雌ネジ孔
１９…支持部
２０…座台
２１…椅子支柱
２２…椅子支持台
２３…ストッパネジ
２４…フランジ部
２５…枠フレーム
２５Ａ…縦枠
２５Ｂ…横枠
２６…中間フレーム
２７…支持プレート
２８…雌ネジ孔
３１…ガイドロッド
３２…伸縮ロッド
３３…直動ベアリング
３４…第１フレーム
３５…第２フレーム
３６…中間スライダー
３７…ボールベアリング
３８…連結プレート
３９…止ネジ
４０…座部
４１…連結パイプ
４２…背もたれ
４３…ベースプレート
４４…固定フレーム
４５…固定プレート
４６…支持リング
４７…連結アーム
４８…溝部
５０…車輪ユニット
５１…回転軸
５２…垂直プレート
５３…連結部
５４…ナット
５５…ワッシャ
５６…装飾カバー
５７…車輪カバー
５８…連結金具
５９…固定ネジ
６０…天板
６１…テーブル支柱
６１Ｘ…サブ支柱
６２…テーブル支持台
６３…支持枠
６３Ｘ…突出部
６５…枠フレーム
６５Ａ…縦枠
６５Ｂ…横枠
６９…回動軸
７０…天板
７２…テーブル支持台
７５…枠フレーム
７５Ａ…縦枠
７５Ｂ…横枠
７７…中間フレーム
７８…連結フレーム
８０…天板
８１…テーブル支柱
８２…テーブル支持台
８５…枠フレーム
８５Ａ…縦枠
８５Ｂ…横枠
８６…スライドガイド
８７…スライドロッド
８８…ローラー
９０…座台
９１…椅子支柱
９２…椅子支持台
９３…支持枠
９５…枠フレーム
９５Ａ…縦枠
９５Ｂ…横枠
９６…中間フレーム
１０１…テーブル
１０２…椅子
１０３…折曲アーム
１０５…ダブル車輪
１１１…支柱
１２１…支柱
１３１…ヒンジ
２０１…テーブル
２０２…椅子
２０３…伸縮アーム
２１２…テーブル支持台
２２２…椅子支持台
【図１】
2016073536.tif 000003
【図２】
2016073536.tif 000004
【図３】
2016073536.tif 000005
【図４】
2016073536.tif 000006
【図５】
2016073536.tif 000007
【図６】
2016073536.tif 000008
【図７】
2016073536.tif 000009
【図８】
2016073536.tif 000010
【図９】
2016073536.tif 000011
【図１０】
2016073536.tif 000012
【図１１】
2016073536.tif 000013
【図１２】
2016073536.tif 000014
【図１３】
2016073536.tif 000015
【図１４】
2016073536.tif 000016
【図１５】
2016073536.tif 000017
【図１６】
2016073536.tif 000018
【図１７】
2016073536.tif 000019
【図１８】
2016073536.tif 000020
【図１９】
2016073536.tif 000021